(57)【要約】【課題】利用者の眼にとって適切な位置に画面の表示位置を配置し得る技術を提供する。【解決手段】頭部装着型表示装置は、眼に対向する位置に配置され、画面を表示する表示部と、表示部の画面表示を制御する表示制御部と、表示部による画面表示位置を調整する調整機構と、を備えており、表示制御部は、画面表示位置を調整する際に、表示部に位置調整用画面を表示させる。【選択図】図１
2020113916.tif 000002
【特許請求の範囲】
【請求項１】
眼に対向する位置に配置され、画面を表示する表示部と、
前記表示部の画面表示を制御する表示制御部と、
前記表示部による画面表示位置を調整する調整機構と、
を備えており、
前記表示制御部は、前記画面表示位置を調整する際に、前記表示部に位置調整用画面を表示させる、
頭部装着型表示装置。
【請求項２】
前記位置調整用画面は、表示領域の外周縁に配置されるマーカ画像を含む、請求項１に記載の頭部装着型表示装置。
【請求項３】
前記位置調整用画面は、表示領域の中央に配置される高輝度画像を含む、請求項１又は２に記載の頭部装着型表示装置。
【請求項４】
前記表示制御部は、前記画面表示位置を調整する際において、表示中の前記位置調整用画面のうちの少なくとも一部の表示輝度を変更する、請求項１から３のいずれか一項に記載の頭部装着型表示装置。
【請求項５】
前記表示制御部は、前記表示輝度を変更する場合、第１輝度値と、前記第１輝度値よりも低輝度の第２輝度値と、を含む複数種類の輝度値の間で前記表示輝度を周期的に変更させる、請求項４に記載の頭部装着型表示装置。
【請求項６】
前記調整機構は、現在の前記画面表示位置に対応する前記表示部の位置を出力する現在位置出力部と、指定された前記画面表示位置に対応する位置に前記表示部を設定する設定部と、を含む、請求項１から５のいずれか一項に記載の頭部装着型表示装置。
【請求項７】
前記表示部は、前記眼と前記表示部との相対位置に応じて、前記眼への入射光量が変化する特性を有する、請求項１から６のいずれか一項に記載の頭部装着型表示装置。
【請求項８】
前記表示部は、左眼に対向する位置に配置され、左眼用画面を表示する左眼用表示部と、右眼に対向する位置に配置され、右眼用画面を表示する右眼用表示部と、を含み、
前記表示制御部は、前記左眼用表示部と前記右眼用表示部の画面表示を制御し、
前記調整機構は、前記左眼用表示部による左画面表示位置を調整するための左調整機構と、前記右眼用表示部による右画面表示位置を調整するための右調整機構と、を含み、
前記表示制御部は、
前記左画面表示位置を調整する際に、少なくとも前記左眼用表示部に前記位置調整用画面を表示させ、
前記右画面表示位置を調整する際に、少なくとも前記右眼用表示部に前記位置調整用画面を表示させる、請求項１から７のいずれか一項に記載の頭部装着型表示装置。
【請求項９】
前記表示制御部は、前記左画面表示位置を調整する際と前記右画面表示位置を調整する際との双方において、前記左眼用表示部と前記右眼用表示部との双方に前記位置調整用画面を表示させ、
前記左眼用表示部に表示される前記位置調整用画面と、前記右眼用表示部に表示される前記位置調整用画面との間には、両眼視した際に立体的に認識させるための視差が設けられている、請求項８に記載の頭部装着型表示装置。
【請求項１０】
頭部装着型表示装置のためのコンピュータプログラムであって、
前記頭部装着型表示装置は、
眼に対向する位置に配置され、画面を表示する表示部と、
前記表示部の画面表示を制御する表示制御部と、
前記表示部による画面表示位置を調整する調整機構と、
を備えており、
前記コンピュータプログラムは、前記表示制御部に搭載されるコンピュータに、
前記画面表示位置を調整する際に、前記表示部に位置調整用画面を表示させる表示処理を実行させる、
コンピュータプログラム。
【発明の詳細な説明】
【技術分野】
【０００１】
本明細書で開示する技術は、頭部装着型表示装置に関する。
【背景技術】
【０００２】
特許文献１には、左眼用画面を表示する左眼用表示部と、右眼用画面を表示する右眼用表示部と、左眼用表示部及び右眼用表示部の画面表示を制御する表示制御部と、左眼用表示部と右眼用表示部間の眼幅を調整する眼幅調整機構と、を備える頭部装着型表示装置（いわゆるヘッドマウントディスプレイ）が開示されている。
【０００３】
上記の特許文献１の頭部装着型表示装置では、表示制御部は、眼幅調整機構において眼幅を調整する際に、眼幅調整用の信号パターン画面を左眼用表示部及び右眼用表示部に表示させる。この際に表示される信号パターン画面は、左眼用と右眼用とで白黒を反転させた幾何形状からなる画像によって構成される。例えば、左眼用の信号パターン画面が、白地の中に黒色の矩形が複数個配置された画像を表わし、右眼用の信号パターン画面が、その白黒を反転させた画像を表わす。
【先行技術文献】
【特許文献】
【０００４】
【特許文献１】特開２０１２−１３８６５４号公報
【発明の概要】
【発明が解決しようとする課題】
【０００５】
一般に、この種の頭部装着型表示装置を装着して利用者が表示画面を見る場合、眼の健康のために、利用者の左眼及び右眼にとっての適正位置に表示画面が表示されることが好ましい。一方で、左眼と右眼との間の幅（即ち眼幅）は、利用者毎に異なる。利用者の眼幅に合わせた位置に表示画面が表示されるよう、左眼用表示部と右眼用表示部との間の間隔を調整する必要がある。
【０００６】
上記特許文献１の頭部装着型表示装置において眼幅調整を行う場合、利用者は、左眼用表示部に表示された左眼用の信号パターン画面を左眼で見るとともに、右眼用表示部に表示された右眼用の信号パターン画面を右眼で見ながら、眼幅調整機構を操作して、両信号パターン画面が重なり合って全体が白（又は全体が黒）の一つの画面が形成される位置に合うように眼幅の調整を行う。特許文献１の技術では、両信号パターン画面が重なり合って全体が白（又は全体が黒）のパターン画面が形成される位置に合うように調整を行うことで、前記左眼用表示部と前記右眼用表示部間の眼幅を最適値に調整させることを図っている。
【０００７】
しかしながら、本件発明者が実際に特許文献１の技術を用いて眼幅を調整する実験を行ったところ、特許文献１の技術によっては、両信号パターン画面が重なり合って全体が白（又は全体が黒）のパターン画面が形成されるように見え方を調整することが極めて難しいことが判明した。その理由は以下の通りである。
【０００８】
人間の両眼及び脳は、左眼と右眼とでそれぞれ視差のある画像を見た場合、両画像を合わせて立体的な一つの画像を認識する機能を備える。このような物の見方をいわゆる立体視という。人間が立体視を行う際、人間の脳は、無意識に、注視する物体の輪郭から、視差のある両眼画像の一致点を結んで一つの物体画像として認知する。この際、両眼球は、対象の物体を注視する（即ち、両眼球が対象の物体に焦点を合わせる）ように回動する。
【０００９】
人間の脳及び両眼球がそのような動作を無意識に行うため、左眼用と右眼用とで白黒を反転させた幾何形状からなる画像を表わす信号パターン画面をそれぞれ左眼と右眼とで視認した場合、人間の両眼球及び脳は、同色の形状同士の輪郭を一致させて認識しようとする。その結果、特許文献１の頭部装着型表示装置が表示する信号パターン画面を視認した利用者の両眼及び脳は、例えば、無意識に、左眼用の信号パターン画面中の黒色の部分（例えば黒色の矩形部分）と右眼用の信号パターン画面中の黒色の部分（例えば黒色の矩形部分）の輪郭を一致させて認識しようとする。その結果、上述の通り、利用者が、両信号パターン画像が重なり合った全体が白（又は全体が黒）の一つのパターン画面を視認することができない。仮に、両信号パターン画面の表示位置を左右にずらしたとしても、人間の両眼球及び脳が無意識に左眼用の信号パターン画面と右眼用の信号パターン画面の同色部分の輪郭を一致させようと動作してしまうため、利用者は、全体が白（又は全体が黒）のパターン画面を視認することはできない。本件発明者らが実際に実験を行ったところ、全体が白（又は全体が黒）のパターン画面を視認できた被検者は極めて少数であった。しかも、全体が白（又は全体が黒）のパターン画面を視認できた被検者の場合、眼幅の調整値がどのような値であっても、被検者の両眼及び脳が無意識に調整を図るために全体が白（又は全体が黒）のパターン画面を視認できてしまう。そのため、そのような被検者にとっても、上記特許文献１の頭部装着型表示装置によって眼幅を最適値に調整することができない。
【００１０】
さらに、特許文献１の頭部装着型表示装置の眼幅調整機構は、一つの調節ねじを回動させることにより、左眼用表示部と右眼用表示部とを水平方向に同時に相互に近接又は離間させるように移動させるに過ぎない。特許文献１の技術では、左眼用表示部における画面の表示位置と、右眼用表示部における画面の表示位置と、を個別に調整することも考慮されていない。そのため、利用者の左眼と右眼のそれぞれにとって最適な位置に画面の表示位置を配置することが難しい場合がある。
【００１１】
このように、特許文献１の技術によって、適切に眼幅調整を行う（より具体的には、利用者の左眼と右眼のそれぞれにとって適切な位置に画面の表示位置を配置する）ことが難しいことが判明した。利用者の左眼と右眼のそれぞれにとって適切な位置に画面の表示位置を配置し得る新規な技術の開発が望まれている。
【００１２】
本明細書は、利用者の眼にとって適切な位置に画面の表示位置を配置し得る技術を提供する。
【課題を解決するための手段】
【００１３】
本明細書で開示する頭部装着型表示装置は、眼に対向する位置に配置され、画面を表示する表示部と、前記表示部の画面表示を制御する表示制御部と、前記表示部による画面表示位置を調整する調整機構と、を備えており、前記表示制御部は、前記画面表示位置を調整する際に、前記表示部に位置調整用画面を表示させる。
【００１４】
ここでいう「眼」は、左眼と右眼とのうちの一方又は双方を含む。上記の構成によると、頭部装着型表示装置の利用者は、画面表示位置を調整する際に、表示部に位置調整用画面を表示させることができる。即ち、利用者は、位置調整用画面を視認しながら画面表示位置を調整することができる。そのため、上記の頭部装着型表示装置によれば、利用者は、自身の眼にとって適切な位置に画面の表示位置を配置し得る。
【００１５】
前記位置調整用画面は、表示領域の外周縁に配置されるマーカ画像を含んでもよい。
【００１６】
この構成によると、利用者は、以下の手法で画面の表示位置を調整し得る。例えば、調整機構によって画面表示位置を調整する際、利用者は、位置調整用画面の表示領域の外周縁に配置されるマーカ画像を目印にして、眼（例えば左眼）がマーカ画像を視認し得る最も外側（即ち左端）の左眼表示部の位置（以下「外側境界位置」と呼ぶ場合がある）と、左眼がマーカ画像を視認し得る最も内側（即ち右端）の左眼表示部の位置（以下「内側境界位置」と呼ぶ場合がある）と、をそれぞれ特定することができる。そして、利用者は、特定された外側境界位置と内側境界位置とを利用することにより、左眼のための画面表示位置を適切な位置に調整し得る。右眼の場合も同様である。この構成によると、利用者は、自身の眼にとってより適切な位置に画面の表示位置を配置し得る。
【００１７】
前記位置調整用画面は、表示領域の中央に配置される高輝度画像を含んでもよい。
【００１８】
ここで言う「高輝度画像」は、例えば全面が白色やそれに準ずる高輝度色の無地画像（なお、白色は最も輝度の高い色である）、利用者が注視しやすい目印になり得る高輝度の画像等、任意の高輝度画像を含む。一般的に、高輝度画像は、低輝度画像に比べて利用者が視認し易いため、表示された際に利用者が無意識に注視する対象になり得る。そのため、この構成によると、例えば、調整機構によって画面表示位置を調整する際、利用者に高輝度画像を注視させることで、眼球が意図しない方向に回動することを抑制し、視線（即ち眼球の向き）を位置調整用画面の表示領域の中央付近に固定することができる。そのため、利用者が実際に表示画面を見る際の視線を再現しながら画面表示位置を調整することができる。この構成によると、利用者は、自身の眼にとってより適切な位置に画面の表示位置を配置し得る。
【００１９】
前記表示制御部は、前記画面表示位置を調整する際において、表示中の前記位置調整用画面のうちの少なくとも一部の表示輝度を変更してもよい。
【００２０】
一般に、視界のうちの外側境界位置及び内側境界位置においては、視界の中心付近に比べて、入射光量が少ないことが知られている。そのため、この構成によると、例えば、表示部が眼（例えば左眼）に対向している場合において、調整機構によって画面表示位置を調整する際、位置調整用画面のうちの外周縁の表示輝度を中心部分に比べて下げることにより、表示輝度を下げた際に、表示輝度を下げた箇所（例えば左側の外周縁付近の箇所）が視認できなくなった際の位置を外側境界位置として特定し得る。同様に、右側の外周縁付近の箇所が視認できなくなった際の位置を内側境界位置として特定し得る。このように、外側境界位置及び内側境界位置を適切に特定し得る。利用者は、特定された外側境界位置と内側境界位置とを利用することにより、左画面表示位置を適切な位置に調整し得る。右眼の場合も同様である。この構成による場合も、利用者は、自身の眼にとってより適切な位置に画面の表示位置を配置し得る。
【００２１】
前記表示制御部は、前記表示輝度を変更する場合、第１輝度値と、前記第１輝度値よりも低輝度の第２輝度値と、を含む複数種類の輝度値の間で前記表示輝度を周期的に変更させてもよい。
【００２２】
位置調整用画面のうち、表示輝度が周期的に変更する（例えば点滅する）箇所は、視界の外周縁付近の箇所であっても、利用者が視認し易くなる。そのため、この構成によると、例えば、調整機構によって画面表示位置を調整する際、位置調整用画面のうちの外周縁の箇所の表示輝度を複数種類の輝度値の間で周期的に変更させる（例えば点滅させる）ことで、利用者が、外側境界位置と内側境界位置とを特定し易くなる。この構成による場合、利用者は、外側境界位置と内側境界位置とをより適切に特定することができる。
【００２３】
前記調整機構は、現在の前記画面表示位置に対応する前記表示部の位置を出力する現在位置出力部と、指定された前記画面表示位置に対応する位置に前記表示部を設定する設定部と、を含んでもよい。
【００２４】
この構成によると、利用者は、調整機構によって画面表示位置を調整する際に、適切な位置に表示部を設定し得る。
【００２５】
前記表示部は、前記眼と前記表示部との相対位置に応じて、前記眼への入射光量が変化する特性を有していてもよい。
【００２６】
この構成によると、表示部が、眼と表示部との相対位置に応じて、眼への入射光量が変化する特性を有する場合（例えば、表示部が導光板を含む場合等）においても、利用者は、自身の眼にとって適切な位置に画面の表示位置を配置し得る。
【００２７】
前記表示部は、左眼に対向する位置に配置され、左眼用画面を表示する左眼用表示部と、右眼に対向する位置に配置され、右眼用画面を表示する右眼用表示部と、を含んでもよい。前記表示制御部は、前記左眼用表示部と前記右眼用表示部の画面表示を制御してもよい。前記調整機構は、前記左眼用表示部による左画面表示位置を調整するための左調整機構と、前記右眼用表示部による右画面表示位置を調整するための右調整機構と、を含んでもよい。前記表示制御部は、前記左画面表示位置を調整する際に、少なくとも前記左眼用表示部に前記位置調整用画面を表示させ、前記右画面表示位置を調整する際に、少なくとも前記右眼用表示部に前記位置調整用画面を表示させてもよい。
【００２８】
上記の構成によると、頭部装着型表示装置の利用者は、左画面表示位置を調整する際に、少なくとも左眼用表示部に位置調整用画面を表示させることができる。同様に、利用者は、右画面表示位置を調整する際に、少なくとも右眼用表示部に位置調整用画面を表示させることができる。即ち、上記の構成によると、利用者は、左画面表示位置と、右画面表示位置と、を個別に調整することができる。そのため、上記の頭部装着型表示装置によれば、利用者は、自身の左眼と右眼のそれぞれにとって適切な位置に画面の表示位置を配置し得る。
【００２９】
前記表示制御部は、前記左画面表示位置を調整する際と前記右画面表示位置を調整する際との双方において、前記左眼用表示部と前記右眼用表示部との双方に前記位置調整用画面を表示させてもよい。前記左眼用表示部に表示される前記位置調整用画面と、前記右眼用表示部に表示される前記位置調整用画面との間には、両眼視した際に立体的に認識させるための視差が設けられていてもよい。
【００３０】
この構成によると、左画面表示位置を調整する際と右画面表示位置を調整する際との双方において、利用者は、調整の際に、立体的に認識できる画面を視認する。例えば、立体的に認識できる画面が立体的に認識できる物体の画像を含んでいる場合を想定する。利用者がその物体を視認した際に、物体の画像が視認されている位置と利用者との間の距離は、その利用者の左右の視差量（即ち、眼幅）に応じて異なることが分かっている。そのため、立体的に認識できる物体の画像が視認されている位置と利用者との距離を測定し、その距離を用いて計算することで、利用者の眼幅を算出することができる。従って、この構成による場合も、利用者は、自身の左眼と右眼のそれぞれにとってより適切な位置に画面の表示位置を配置し得る。
【００３１】
上記の頭部装着型表示装置のための制御方法、コンピュータプログラム、及び、当該コンピュータプログラムを記憶するコンピュータ読取可能記録媒体も、新規で有用である。また、上記の頭部装着型表示装置を利用して、利用者の眼にとって適切な位置に画面の表示位置を配置するための調整方法も、新規で有用である。
【図面の簡単な説明】
【００３２】
【図１】第１実施例のＨＭＤ２の概要を示す。
【図２】左投影装置３０Ｌから出射される光の経路及び位置毎の瞳入射光量を模式的に示す。
【図３】位置と瞳入射光量との関係を示す。
【図４】制御部９０が実行する位置調整処理のフローチャートを示す。
【図５】位置調整処理が行われる際の位置調整用画面１００の遷移を示す。
【図６】第２実施例のＨＭＤ２０２の概要を示す。
【図７】第３実施例における位置と瞳入射光量との関係を示す。
【図８】第４実施例における位置調整用画面１００の例を示す。
【図９】第５実施例における位置調整用画面３００の例を示す。
【図１０】第６実施例における位置調整用画面４００の例を示す。
【発明を実施するための形態】
【００３３】
（第１実施例）
（ＨＭＤ２の構成）
図１に示すように、本実施例のＨＭＤ（Head Mount Displayの略）２は、利用者の頭部に装着して使用される表示装置である。ＨＭＤ２は、基材１０と、左導光板２０Ｌと、右導光板２０Ｒと、左投影装置３０Ｌと、右投影装置３０Ｒと、左調整機構４０Ｌと、右調整機構４０Ｒと、制御部９０とを備えている。
【００３４】
基材１０は、利用者の頭部前面に装着可能なフレーム部材である。図１の例では、基材１０の正面部分のみを図示している。基材１０には、図１に示していない範囲において、利用者の頭部にＨＭＤ２を装着して保持するための保持部材（例えば、眼鏡のツル状の部材、ヘアバンド状の部材）等が備えられている。また、基材１０には、ＨＭＤ２の各部材２０Ｌ、２０Ｒ、３０Ｌ、３０Ｒ、４０Ｌ、４０Ｒ、９０等が搭載されている。図１に示すように、基材１０を利用者の頭部前面に装着すると、基材１０は、利用者の左眼４Ｌ及び右眼４Ｒの上方に配置される。基材１０の前面には、左導光板２０Ｌの現在位置を示す左目盛１１Ｌと、右導光板２０Ｒの現在位置を示す右目盛１１Ｒとが設けられている。左目盛１１Ｌ及び右目盛１１Ｒは、基材１０の前面側から視認可能である。以下では、左目盛１１Ｌと右目盛１１Ｒとを区別せずに呼ぶ場合には単に「目盛１１」と呼ぶ場合がある。
【００３５】
右導光板２０Ｒ、右投影装置３０Ｒ、及び、右調整機構４０Ｒの構成は、左右が反対であることを除き、左導光板２０Ｌ、左投影装置３０Ｌ、及び、左調整機構４０Ｌの構成とほぼ同様である。そのため、以下では、左導光板２０Ｌ、左投影装置３０Ｌ、及び、左調整機構４０Ｌの構成を詳しく説明し、右導光板２０Ｒ、右投影装置３０Ｒ、及び、右調整機構４０Ｒの構成の詳しい説明は省略する。なお、以下では、右導光板２０Ｒと左導光板２０Ｌとを区別せずに呼ぶ場合には単に「導光板２０」と呼ぶ場合がある。同様に、右投影装置３０Ｒと左投影装置３０Ｌとを区別せずに呼ぶ場合にも単に「投影装置３０」と呼ぶ場合がある。同様に、右調整機構４０Ｒと左調整機構４０Ｌとを区別せずに呼ぶ場合にも単に「調整機構４０」と呼ぶ場合がある。
【００３６】
左導光板２０Ｌは、基材１０を利用者の頭部に装着した場合に、利用者の左眼４Ｌに対向する範囲に配置される透光性の基板である。左導光板２０Ｌは、例えばガラスによって形成される。変形例では、左導光板２０Ｌは光透過性の樹脂材料等によって形成されていてもよい。図２に示すように、左導光板２０Ｌは、利用者の左眼４Ｌに対向する側の主面である第１主面と、第１主面と反対側の主面である第２主面とを有する。さらに、左導光板２０Ｌの内部には左ハーフミラー部材２２Ｌが設けられている。
【００３７】
図１、図２に示すように、左投影装置３０Ｌは、左導光板２０Ｌの左側（即ち、利用者の顔の外側寄りの位置）に配置される。左投影装置３０Ｌは、左導光板２０Ｌの内部に向かって左眼用画面を表わす画像を形成する光を照射するための投影装置である。ここで、左眼用画面は、利用者に視認させる１個の画面のうちの左眼視界範囲に対応する部分を示す画面である。左投影装置３０Ｌは、制御部９０（図１参照）の指示に従って、様々な態様で光を照射する。
【００３８】
左投影装置３０Ｌは、図示しないＬＥＤ（Light Emitting Diodeの略）パネル、ＬＣＯＳ（Liquid Crystal On Silicon）パネル、レンズ等を含む。ＬＥＤパネルは、制御部９０（図１参照）の指示に従って、赤色光、緑色光及び青色光を時分割で照射する。ＬＥＤパネルが赤色光、緑色光、青色光を時分割で照射することによって、利用者が視認可能な左眼用画面が形成される。ＬＣＯＳパネルは、ＬＥＤパネルから投射される光を、形成されるべき画面に応じて反射するスクリーンである。ＬＣＯＳパネルにおいて反射された光はレンズに入射する。レンズは、ＬＣＯＳパネルからプリズムを透過して入射された光の角度を変更して（例えば平行光になるように収束させて）左導光板２０Ｌに投射するための光学部材である。このようにして、左投影装置３０Ｌは左眼用画面を形成する光を左導光板２０Ｌ内に入射させることができる（図２参照）。
【００３９】
図１に示す左調整機構４０Ｌは、左導光板２０Ｌの左右位置を調整するための機構である。左調整機構４０Ｌは、基材１０と左導光板２０Ｌとの間に配置され、基材１０と左導光板２０Ｌとを連結している。左調整機構４０Ｌは、ボルトとナットとを備える機構であり、左端部に配置される調整ねじ４２Ｌを回動させることで（矢印４６Ｌ参照）、左導光板２０Ｌを左右方向（矢印４８Ｌ参照）に沿って移動させることができる。利用者は、調整ねじ４２Ｌを回動させることで、左導光板２０Ｌの左右位置を調整することができる。
【００４０】
左調整機構４０Ｌには、さらに、目印４４Ｌが含まれる。目印４４Ｌは、左導光板２０Ｌの上端に固定されており、左導光板２０Ｌの左右方向の移動に追随して移動する。目印４４Ｌは矢印型に形成されており、その先端が左目盛１１Ｌの一部を指し示している。利用者は、目印４４Ｌが左目盛１１Ｌを指し示している位置を見ることにより、左導光板２０Ｌの現在の位置を把握することができる。
【００４１】
制御部９０は、左投影装置３０Ｌ及び右投影装置３０Ｒを制御するための制御装置である。図１の例では、制御部９０は、左投影装置３０Ｌ及び右投影装置３０Ｒの外側に模式的に描かれているが、制御部９０は、例えば、左投影装置３０Ｌ内に収容されていてもよい。他の例では、制御部９０は、右投影装置３０Ｒ内に収容されていてもよいし、左投影装置３０Ｌと右投影装置３０Ｒとに分かれて設けられていてもよい。上記の通り、制御部９０の指示に従って、投影装置３０は、表示画面を表わす光を照射する。
【００４２】
また、図１では示していないが、ＨＭＤ２には、利用者がＨＭＤ２に各種指示を入力するための操作部も設けられている。利用者は、操作部を操作することで、ＨＭＤ２に各種指示を入力することができる。制御部９０は、利用者が入力する指示に従って様々な処理を実行することができる。
【００４３】
続いて、図２、図３を参照して、左投影装置３０Ｌから照射される光の挙動について説明する。この場合も、右投影装置３０Ｒから照射されて右眼４Ｒに入射される光の挙動は、左右が反対であることを除いて、左投影装置３０Ｌから照射されて左眼４Ｌに入射される光の挙動と同様であるため、以下では左投影装置３０Ｌから照射されて左眼４Ｌに入射される光の挙動について詳しく説明し、右投影装置３０Ｒから照射されて右眼４Ｒに入射される光の挙動については詳しい説明を省略する。
【００４４】
図２の矢印２４Ｌに示すように、左投影装置３０Ｌから左導光板２０Ｌの内部に入射された光は、第１主面の内面と第２主面の内面とで全反射されながら導光された後、左ハーフミラー部材２２Ｌによって反射されて左眼４Ｌに向かって出射される。左導光板２０Ｌの左右位置が変わる場合、左導光板２０Ｌから左眼４Ｌに向かって光が出射される左右位置がそれに応じて変わる。ただし、本実施例では、左導光板２０Ｌから出射されて左眼４Ｌに入射される光の角度（矢印２４Ｌ参照）は、左導光板２０Ｌの左右位置に関わらず（左導光板２０Ｌの左右位置が変わる場合であっても）一定である。
【００４５】
また、本実施例では、左眼４Ｌに入射される入射光量（「瞳入射光量」とも呼ぶ）は、左眼４Ｌ（瞳）の左右位置に応じて異なる。図２、図３に示すように、中央部付近では光量が多く、外側端部（左眼４Ｌの場合左端部）近傍及び内側端部（左眼４Ｌの場合右端部）近傍では減少する。瞳入射光量が所定の閾値ｔｈ以上である範囲において、左眼４Ｌは像を視認することができる。即ち、瞳入射光量が所定の閾値ｔｈ以上である範囲が、左眼４Ｌの視界（「アイボックス」とも呼ぶ）の範囲である。瞳入射光量が閾値ｔｈを下回る範囲（０である範囲を含む）が左眼４Ｌの視界の範囲外である。なお、閾値ｔｈには利用者によって個人差がある。本実施例では、図２、図３に示すように、瞳入射光量の分布グラフは、略左右対称の台形形状を示す。ただし、瞳入射光量の分布は、ＨＭＤ２の仕様によって変わる。そのため、他の例では、瞳入射光量の分布グラフは、左右非対称の台形形状を示す場合もある（図７参照）。
【００４６】
図３のグラフのうち、外側境界位置ｄ０は、利用者の左眼４Ｌの視界のうち、瞳入射光量が所定の閾値ｔｈを下回る外側の境界位置（即ち左側の境界位置）を表わす。即ち、利用者の左眼４Ｌは、外側境界位置ｄ０より内側（右側）の像のみを視認でき、外側境界位置ｄ０より外側（左側）の像を視認できない。
【００４７】
同様に、図３のグラフのうち、内側境界位置ｄ１は、利用者の左眼４Ｌの視界のうち、瞳入射光量が閾値ｔｈを下回る内側の境界位置（即ち右側の境界位置）を表わす。即ち、利用者の左眼４Ｌは、内側境界位置ｄ１より外側（左側）の像のみを視認でき、外側境界位置ｄ０より内側（右側）の像を視認できない。
【００４８】
そして、上記の通り、本実施例のＨＭＤ２では、図３に示すように、瞳入射光量の分布グラフは、略左右対称の台形形状を示す。そのため、本実施例のＨＭＤ２の場合、外側境界位置ｄ０及び内側境界位置ｄ１が把握できれば、それらの中点位置が左眼４Ｌにとっての最適位置ｄｐとなる。即ち、本実施例では、最適位置ｄｐは、（ｄ０＋ｄ１）／２を計算することによって得られる。
【００４９】
（位置調整処理）
続いて、図４を参照して、左導光板２０Ｌの左右位置を、左眼４Ｌが視認する表示画面が適切な位置に表示されるように調整する際に、制御部９０が実行する位置調整処理の内容を説明する。
【００５０】
左導光板２０Ｌの左右位置の調整を行うことを希望する利用者は、ＨＭＤ２を装着した状態で、操作部に所定の左眼調整指示を入力する。左眼調整指示が入力されると、制御部９０は、図４の位置調整処理を開始する。
【００５１】
まず、Ｓ１０において、制御部９０は、左投影装置３０Ｌ及び左導光板２０Ｌに、所定の位置調整用画面１００（図５中の（ａ）参照）を表示させる。具体的には、制御部９０は、左投影装置３０Ｌに、所定の位置調整用画面１００を形成する光を左導光板２０Ｌに入射させる。左導光板２０Ｌは、左投影装置３０Ｌから位置調整用画面１００を形成する光が入射されると、左ハーフミラー部材２２Ｌを介して左眼４Ｌに向けて当該光を出射する。この結果、左眼４Ｌには、位置調整用画面１００を表わす光が入射され、利用者は、左眼４Ｌによって位置調整用画面１００を視認することができる。以下では、このＳ１０の処理のように、制御部９０が、左投影装置３０Ｌに表示画面を表わす光を投射させ、左導光板２０Ｌから出射される光によって当該表示画面を左眼４Ｌで視認可能な状態を形成することを、説明の便宜上「制御部９０が左導光板２０Ｌに表示画面を表示させる」のように呼ぶ場合がある。
【００５２】
図５を参照して、Ｓ１０において左導光板２０Ｌに表示される位置調整用画面１００について説明する。図５中の（ａ）は、Ｓ１０の時点で左導光板２０Ｌに表示される位置調整用画面１００を表す。図５中の（ａ）に示すように位置調整用画面１００は、外側低輝度部１０６と、内側低輝度部１０８と、高輝度部１１０とを備えている。
【００５３】
外側低輝度部１０６は、位置調整用画面１００の表示領域の外側（即ち左眼４Ｌから見た場合の左側）の縁部近傍に表示される低輝度の帯状の画像である。例えば、外側低輝度部１０６は、黒色や灰色等の低輝度の色で表示された画像である。内側低輝度部１０８は、位置調整用画面１００の表示領域の内側（即ち左眼４Ｌから見た場合の右側）の縁部近傍に表示される低輝度の帯状の画像である。内側低輝度部１０８も、外側低輝度部１０６と同様に、黒色や灰色等の低輝度の色で表示される画像である。
【００５４】
高輝度部１１０は、位置調整用画面１００の表示領域の中央部分（より具体的には、外側低輝度部１０６と内側低輝度部１０８の間）に表示される高輝度の画像である。本実施例では、高輝度部１１０は、全面が白色等の高輝度の色で表示された画像である。なお、白色はもっとも輝度の高い色である。
【００５５】
外側低輝度部１０６の中には、外側マーカ画像１０２が表示されている。本実施例では、外側マーカ画像１０２は、破線形状のマーカである。他の例では、外側マーカ画像１０２は、他の幾何形状のマーカであってもよい。外側マーカ画像１０２は、外側低輝度部１０６よりも高輝度の色（例えば黄色や白色等）で表示されている。
【００５６】
同様に、内側低輝度部１０８の中にも、内側マーカ画像１０４が表示されている。内側マーカ画像１０４も、外側マーカ画像１０２と同様に破線形状のマーカである。他の例では、内側マーカ画像１０４も、他の幾何形状のマーカであってもよい。内側マーカ画像１０４も、内側低輝度部１０８よりも高輝度の色（例えば黄色や白色等）で表示されている。
【００５７】
位置調整用画面１００が表示されている間、外側マーカ画像１０２及び内側マーカ画像１０４は、第１輝度値と、第１輝度値よりも低輝度の第２輝度値との間で周期的に表示輝度が変更される。そのため、左眼４Ｌによって位置調整用画面１００を視認する際、利用者には、外側マーカ画像１０２及び内側マーカ画像１０４が点滅表示されているように認識される。このように、外側マーカ画像１０２及び内側マーカ画像１０４の表示輝度が周期的に変更される（即ち点滅表示される）ことにより、位置調整用画面１００を視認する利用者が、位置調整用画面１００の表示領域の外周縁付近に表示される外側マーカ画像１０２及び内側マーカ画像１０４を視認し易くなる。本実施例では、第２輝度値は、利用者がほぼ視認できない程度の低輝度である。他の例では、第２輝度値は、第１輝度値より低輝度であれば、利用者が視認可能な程度の輝度であってもよい。また、さらに他の例では、外側マーカ画像１０２及び内側マーカ画像１０４は、第１輝度値と第２輝度値を含む複数種類の輝度値（例えば３種類以上の輝度値）の間で周期的に表示輝度が変更されていてもよい。
【００５８】
図４のＳ１０において位置調整用画面１００（図５の（ａ）参照）が表示された状態で、利用者は、操作部に所定の表示変更指示を入力することができる。その場合、続くＳ１２において、制御部９０は、表示中の位置調整用画面１００の外側マーカ画像１０２の表示輝度を低下させる。即ち、Ｓ１２では、制御部９０は、外側マーカ画像１０２を表示する際の輝度値である第１輝度値を所定値分（即ち一段階分）低下させる。これにより、点滅表示されている外側マーカ画像１０２の表示輝度（即ち平均の表示輝度）が低下する。この結果、外側マーカ画像１０２の視認性がＳ１０の時点に比べて低下する。なお、他の例では、Ｓ１２において、制御部９０は、外側マーカ画像１０２を表示する際の輝度値である第１輝度値と第２輝度値の双方を所定値分（即ち一段階分）低下させてもよい。また、さらに他の例では、Ｓ１０において位置調整用画面１００が表示された後、制御部９０は、表示変更指示の入力を待たずに、自動的にＳ１２の処理を行ってもよい。
【００５９】
続くＳ１４では、制御部９０は、利用者が、この時点で外側マーカ画像１０２を視認できないと判断しているか否かを判定する。利用者は、外側マーカ画像１０２の表示輝度が低下された（Ｓ１２）状態の位置調整用画面１００を左眼４Ｌで視認しながら、この時点で外側マーカ画像１０２を視認できなくなったか否かを判断する。外側マーカ画像１０２の表示輝度が低下したことで、外側マーカ画像１０２の表示位置に対応する位置における瞳入射光量が、視認可能な閾値ｔｈ（図３参照）を下回る場合、利用者はこの時点で外側マーカ画像１０２を視認できなくなる。即ち、利用者は、図５中の（ｂ）に示すように、外側マーカ画像１０２が視認できない状態の位置調整用画面１００を視認することになる。利用者は、この時点で外側マーカ画像１０２を視認できない場合、操作部に所定の視認不可能指示を入力することができる。この場合、制御部９０は、Ｓ１４でＹＥＳと判断し、Ｓ１８に進む。この場合、後述のＳ１６、Ｓ１７の処理はスキップされる。一方、利用者は、この時点で外側マーカ画像１０２を視認できる場合、操作部に所定の視認可能指示を入力することができる。この場合、制御部９０は、Ｓ１４でＮＯ（即ち視認可能）と判断し、Ｓ１５に進む。
【００６０】
Ｓ１５では、制御部９０は、現在の外側マーカ画像１０２の表示輝度が最小値であるか否かを判断する。この時点で既に外側マーカ画像１０２の表示輝度が最小値まで低下されている（即ち、第１輝度値と第２輝度値との差が最小段階まで低下されている）場合、制御部９０は、Ｓ１５でＹＥＳと判断し、Ｓ１６に進む。一方、この時点ではまだ外側マーカ画像１０２の表示輝度が最小値まで低下されていない場合、制御部９０は、Ｓ１５でＮＯと判断し、Ｓ１２に戻る。戻った先のＳ１２では、制御部９０は、表示中の位置調整用画面１００の外側マーカ画像１０２の表示輝度をさらに一段階分低下させる。具体的には、戻った先のＳ１２では、制御部９０は、外側マーカ画像１０２を表示する際の輝度値である第１輝度値をさらに所定値分（即ちさらに一段階分）低下させる。Ｓ１２で外側マーカ画像１０２の表示輝度をさらに低下させると、制御部９０は、再びＳ１４の判定に戻る。
【００６１】
このように、制御部９０は、Ｓ１４とＳ１５のうちの一方でＹＥＳと判断されるまで、Ｓ１２、Ｓ１４、Ｓ１５の各処理を繰り返し実行する。
【００６２】
Ｓ１６では、制御部９０は、利用者が、この時点で外側マーカ画像１０２を視認できないと判断しているか否かを判定する。利用者は、外側マーカ画像１０２の表示輝度が最小値まで低下された（Ｓ１５でＹＥＳ）状態の位置調整用画面１００を左眼４Ｌで視認しながら、この時点で外側マーカ画像１０２を視認できなくなったか否かを判断する。利用者は、この時点で外側マーカ画像１０２を視認できない場合、操作部に所定の視認不可能指示を入力することができる。この場合、制御部９０は、Ｓ１６でＹＥＳと判断し、Ｓ１８に進む。一方、利用者は、この時点で外側マーカ画像１０２を視認できる場合、操作部に所定の視認可能指示を入力することができる。この場合、制御部９０は、Ｓ１６でＮＯ（即ち視認可能）と判断し、Ｓ１７に進む。
【００６３】
Ｓ１７では、制御部９０は、左導光板２０Ｌを外側（即ち、左眼４Ｌから見て左側）に移動させるように利用者に指示する。表示輝度を低下させても依然として外側マーカ画像１０２が視認できる場合は、利用者が外側マーカ画像１０２を視認する位置は、瞳入射光量が閾値ｔｈ以上である位置である（図３参照）。そのため、利用者が外側マーカ画像１０２を視認する位置は、外側境界位置ｄ０より依然として内側である（図３参照）。Ｓ１６では、制御部９０は、左導光板２０Ｌに、左導光板２０Ｌを内側に移動させるように指示するための所定のメッセージを表示させてもよい。この場合、利用者は、Ｓ１７で表示されたメッセージを見た後で、左調整機構４０Ｌの調整ねじ４２Ｌを操作して、左導光板２０Ｌを外側に移動させることができる。
【００６４】
Ｓ１７の処理を行った後、制御部９０は、再びＳ１６の判定に戻る。利用者は、外側マーカ画像１０２の表示輝度が最小値まで低下され（Ｓ１５でＹＥＳ）、左導光板２０Ｌが移動された後の位置調整用画面１００を左眼４Ｌで視認しながら、外側マーカ画像１０２を視認できなくなったか否かを判断する。この時点で外側マーカ画像１０２を視認できなくなった場合、利用者は、操作部に視認不可能指示を入力することができる。この場合、制御部９０は、Ｓ１６でＹＥＳと判断し、Ｓ１８に進む。一方、利用者は、この時点でもまだ外側マーカ画像１０２を視認できる場合、操作部に視認可能指示を入力することができる。この場合、制御部９０は、Ｓ１６でＮＯ（即ち視認可能）と判断し、再びＳ１７に進む。その後、制御部９０は、Ｓ１６でＹＥＳと判断されるまで、Ｓ１６とＳ１７の処理を繰り返す。
【００６５】
Ｓ１８では、制御部９０は、この時点の外側マーカ画像１０２の表示位置に対応する位置を外側境界位置ｄ０として特定する。上記の通り、表示輝度を低下させたことで外側マーカ画像１０２が視認できなくなる位置（即ち、瞳入射光量が閾値ｔｈを下回る位置）は、外側境界位置ｄ０である（図３参照）。Ｓ１８では、さらに、制御部９０は、利用者に対して外側境界位置ｄ０が特定された旨の報知を行う。この際の報知は、左導光板２０Ｌに所定のメッセージを表示させることを含んでもよい。報知を受けた利用者は、この時点で外側境界位置ｄ０が特定されたことを知ることができるとともに、この時点で目印４４Ｌ（図１参照）が示している左目盛１１Ｌの値が、外側境界位置ｄ０に対応する左導光板２０Ｌの位置であることを知ることができる。報知の際に表示される所定のメッセージが、この時点で目印４４Ｌ（図１参照）が示している左目盛１１Ｌの値を知らせる情報を含んでいてもよい。
【００６６】
Ｓ１８で外側境界位置ｄ０の特定と報知を行った後、続くＳ２０において、制御部９０は、再び位置調整用画面１００を左導光板２０Ｌに表示させる。Ｓ２０で表示される位置調整用画面１００は、Ｓ１０と同様の画面（図５の（ａ）参照）である。この場合も、利用者は、操作部に所定の表示変更指示を入力することができる。
【００６７】
その場合、続くＳ２２において、制御部９０は、表示中の位置調整用画面１００の内側マーカ画像１０４の表示輝度を低下させる。即ち、Ｓ２２では、制御部９０は、内側マーカ画像１０４を表示する際の輝度値である第１輝度値を所定値分（即ち一段階分）低下させる。これにより、点滅表示されている内側マーカ画像１０４の表示輝度（即ち、平均の表示輝度）が低下する。この結果、内側マーカ画像１０４の視認性がＳ４０の時点に比べて低下する。なお、他の例では、Ｓ２２において、制御部９０は、内側マーカ画像１０４を表示する際の輝度値である第１輝度値と第２輝度値の双方を所定値分（即ち一段階分）低下させてもよい。また、さらに他の例では、Ｓ２０において位置調整用画面１００が表示された後、制御部９０は、表示変更指示の入力を待たずに、自動的にＳ２２の処理を行ってもよい。
【００６８】
続くＳ２４では、制御部９０は、利用者が、この時点で内側マーカ画像１０４を視認できないと判断しているか否かを判定する。利用者は、内側マーカ画像１０４の表示輝度が低下された（Ｓ２２）状態の位置調整用画面１００を左眼４Ｌで視認しながら、内側マーカ画像１０４を視認できなくなったか否かを判断する。内側マーカ画像１０４の表示輝度が低下したことで、内側マーカ画像１０４の表示位置に対応する位置における瞳入射光量が、視認可能な閾値ｔｈ（図３参照）を下回る場合、利用者はこの時点で内側マーカ画像１０４を視認できなくなる。即ち、利用者は、図５中の（ｃ）に示すように、内側マーカ画像１０４が視認できない状態の位置調整用画面１００を視認することになる。利用者は、この時点で内側マーカ画像１０４を視認できない場合、操作部に所定の視認不可能指示を入力することができる。この場合、制御部９０は、Ｓ２４でＹＥＳと判断し、Ｓ２８に進む。この場合、後述のＳ２６、Ｓ２７の処理はスキップされる。一方、利用者は、この時点で内側マーカ画像１０４を視認できる場合、操作部に所定の視認可能指示を入力することができる。この場合、制御部９０は、Ｓ２４でＮＯ（即ち視認可能）と判断し、Ｓ２５に進む。
【００６９】
Ｓ２５では、制御部９０は、現在の内側マーカ画像１０４の表示輝度が最小値であるか否かを判断する。この時点で既に内側マーカ画像１０４の表示輝度が最小値まで低下されている（即ち、第１輝度値と第２輝度値との差が最小段階まで低下されている）場合、制御部９０は、Ｓ２５でＹＥＳと判断し、Ｓ２６に進む。一方、この時点ではまだ内側マーカ画像１０４の表示輝度が最小値まで低下されていない場合、制御部９０は、Ｓ２５でＮＯと判断し、Ｓ２２に戻る。戻った先のＳ２２では、制御部９０は、再び、表示中の位置調整用画面１００の内側マーカ画像１０４の表示輝度を低下させる。具体的には、戻った先のＳ２２では、制御部９０は、内側マーカ画像１０４を表示する際の輝度値である第１輝度値をさらに所定値分（即ちさらに一段階分）低下させる。Ｓ２２で内側マーカ画像１０４の表示輝度をさらに低下させると、制御部９０は、再びＳ２４の判定に戻る。
【００７０】
このように、制御部９０は、Ｓ２４とＳ２５のうちの一方でＹＥＳと判断されるまで、Ｓ２２、Ｓ２４、Ｓ２５の各処理を繰り返し実行する。
【００７１】
Ｓ２６では、制御部９０は、利用者が、この時点で内側マーカ画像１０４を視認できないと判断しているか否かを判定する。利用者は、内側マーカ画像１０４の表示輝度が最小値まで低下された（Ｓ２５でＹＥＳ）状態の位置調整用画面１００を左眼４Ｌで視認しながら、この時点で内側マーカ画像１０４を視認できなくなったか否かを判断する。利用者は、この時点で内側マーカ画像１０４を視認できない場合、操作部に所定の視認不可能指示を入力することができる。この場合、制御部９０は、Ｓ２６でＹＥＳと判断し、Ｓ２８に進む。一方、利用者は、この時点で内側マーカ画像１０４を視認できる場合、操作部に所定の視認可能指示を入力することができる。この場合、制御部９０は、Ｓ２６でＮＯ（即ち視認可能）と判断し、Ｓ２７に進む。
【００７２】
一方、Ｓ２７では、制御部９０は、左導光板２０Ｌを内側（即ち、左眼４Ｌから見て右側）に移動させるように利用者に指示する。表示輝度を低下させても依然として内側マーカ画像１０４が視認できる場合は、利用者が内側マーカ画像１０４を視認する位置は、瞳入射光量が閾値ｔｈ以上である位置である（図３参照）。そのため、利用者が内側マーカ画像１０４を視認する位置は、内側境界位置ｄ１より依然として外側である（図３参照）。Ｓ２６では、制御部９０は、左導光板２０Ｌに、左導光板２０Ｌを外側に移動させるように指示するための所定のメッセージを表示させてもよい。この場合、利用者は、Ｓ２７で表示されたメッセージを見た後で、左調整機構４０Ｌの調整ねじ４２Ｌを操作して、左導光板２０Ｌを内側に移動させることができる。
【００７３】
Ｓ２７の処理を行った後、制御部９０は、再びＳ２６の判定に戻る。利用者は、内側マーカ画像１０４の表示輝度が最小値まで低下され（Ｓ２５でＹＥＳ）、左導光板２０Ｌが移動された後の位置調整用画面１００を左眼４Ｌで視認しながら、内側マーカ画像１０４を視認できなくなったか否かを判断する。この時点で内側マーカ画像１０４を視認できなくなった場合、利用者は、操作部に視認不可能指示を入力することができる。この場合、制御部９０は、Ｓ２６でＹＥＳと判断し、Ｓ２８に進む。一方、利用者は、この時点でもまだ内側マーカ画像１０４を視認できる場合、操作部に視認可能指示を入力することができる。この場合、制御部９０は、Ｓ２６でＮＯ（即ち視認可能）と判断し、再びＳ２７に進む。その後、制御部９０は、Ｓ２６でＹＥＳと判断されるまで、Ｓ２６とＳ２７の処理を繰り返す。
【００７４】
Ｓ２８では、制御部９０は、この時点の内側マーカ画像１０４の表示位置に対応する位置を内側境界位置ｄ１として特定する。上記の通り、表示輝度を低下させたことで内側マーカ画像１０４が視認できなくなる位置（即ち、瞳入射光量が閾値ｔｈを下回る位置）は、内側境界位置ｄ１である（図３参照）。Ｓ２８では、さらに、制御部９０は、利用者に対して内側境界位置ｄ１が特定された旨の報知を行う。この際の報知は、左導光板２０Ｌに所定のメッセージを表示させることを含んでもよい。報知を受けた利用者は、この時点で内側境界位置ｄ１が特定されたことを知ることができるとともに、この時点で目印４４Ｌ（図１参照）が示している左目盛１１Ｌの値が、内側境界位置ｄ１に対応する左導光板２０Ｌの位置であることを知ることができる。報知の際に表示される所定のメッセージが、この時点で目印４４Ｌ（図１参照）が示している左目盛１１Ｌの値を知らせる情報を含んでいてもよい。
【００７５】
Ｓ２８で内側境界位置ｄ１の特定と報知を行った後、続くＳ３０において、制御部９０は、Ｓ１８で特定された外側境界位置ｄ０と、Ｓ２８で特定された内側境界位置ｄ１と、を用いて、最適位置ｄｐ（図３参照）を特定する。具体的には、Ｓ３０では、制御部９０は、（ｄ０＋ｄ１）／２を計算して、外側境界位置ｄ０と内側境界位置ｄ１との中点である最適位置ｄｐを算出する。Ｓ３０では、さらに、制御部９０は、利用者に対して最適位置ｄｐが特定された旨の報知を行う。この際の報知は、左導光板２０Ｌに所定のメッセージを表示させることを含んでもよい。報知を受けた利用者は、この時点で最適位置ｄｐが特定されたことを知ることができる。そして、左目盛１１Ｌの値が、Ｓ１８で報知された外側境界位置ｄ０に対応する値と、内側境界位置ｄ１に対応する値との中間の値になるように左導光板２０Ｌの位置を調整すれば、最適位置ｄｐに対応する位置に左導光板２０Ｌを配置できることを知ることができる。報知の際に表示される所定のメッセージが、最適位置ｄｐに対応する位置の左目盛１１Ｌの値を知らせる情報を含んでいてもよい。
【００７６】
Ｓ３０の処理を行うと、制御部９０は、左眼４Ｌのための位置調整処理（図４）を終了する。利用者は、その後、左目盛１１Ｌと目印４４Ｌの位置を見ながら左調整機構４０Ｌの調整ねじ４２Ｌを操作して、左導光板２０Ｌを、最適位置ｄｐに対応する位置に調整することができる。これにより、左導光板２０Ｌの左右位置を、左眼４Ｌにとって適切な位置に配置させることができる。
【００７７】
続いて、利用者は、同じ要領で、右導光板２０Ｒの左右位置を、右眼４Ｒが視認する表示画面が右眼４Ｒにとって適切な位置に表示されるように調整することができる。この場合、右導光板２０Ｒの左右位置の調整を行うことを希望する利用者は、ＨＭＤ２を装着した状態で、操作部に所定の右眼調整指示を入力することができる。右眼調整指示が入力されると、制御部９０は、図４の位置調整処理を開始する。以下、制御部９０は、右眼４Ｒのために、上述の図４のＳ１０〜Ｓ３０と同様の処理を実行する。右眼４Ｒのために実行される図４のＳ１０〜Ｓ３０の内容は、左右が反対であることを除けば上記と同様であるため、詳しい説明は省略する。
【００７８】
利用者は、位置調整処理が終了した後で、右目盛１１Ｒと目印４４Ｒの位置を見ながら右調整機構４０Ｒの調整ねじ４２Ｒを操作して、右導光板２０Ｒを、最適位置ｄｐに対応する位置に調整することができる。これにより、右導光板２０Ｒの左右位置を、右眼４Ｒにとって適切な位置に配置させることができる。
【００７９】
以上の通り、本実施例のＨＭＤ２を利用することで、利用者は、左導光板２０Ｌ及び右導光板２０Ｒの左右位置を、左眼４Ｌ及び右眼４Ｒのそれぞれにとって適切な位置に調整することができる。この結果、左導光板２０Ｌによる表示画面の表示位置と、右導光板２０Ｒによる表示画面の表示位置とが、それぞれ、左眼４Ｌ及び右眼４Ｒのそれぞれにとって適切な位置に調整される。
【００８０】
上記の通り、本実施例のＨＭＤ２は、左導光板２０Ｌの左右位置を調整するための左調整機構４０Ｌと、右導光板２０Ｒの左右位置を調整するための右調整機構４０Ｒとを別個に備えている。そして、利用者は、左導光板２０Ｌの位置を調整する際には、左導光板２０Ｌに位置調整用画面１００を表示させることができ、右導光板２０Ｒの位置を調整する際には、右導光板２０Ｒに位置調整用画面１００を表示させることができる。即ち、本実施例によると、利用者は、左導光板２０Ｌの位置と、右導光板２０Ｒの位置と、を個別に調整することができる。そのため、本実施例のＨＭＤ２によれば、利用者は、左導光板２０Ｌによる表示画面の表示位置と、右導光板２０Ｒによる表示画面の表示位置とを、それぞれ、左眼４Ｌ及び右眼４Ｒのそれぞれにとって適切な位置に配置することができる。
【００８１】
また、上記の通り、本実施例で位置調整の際に表示される位置調整用画面１００は、表示領域の外側の縁部近傍に表示される外側マーカ画像１０２と、表示領域の内側の縁部近傍に表示される内側マーカ画像１０４と、を含む。利用者は、外側マーカ画像１０２及び内側マーカ画像１０４を目印として、外側境界位置ｄ０及び内側境界位置ｄ１を特定することができる。そして、利用者は、外側境界位置ｄ０と内側境界位置ｄ１とを利用することにより、導光板２０の位置（即ち、表示画面の表示位置）を適切な位置に調整し得る。
【００８２】
また、本実施例では、外側マーカ画像１０２は外側低輝度部１０６内に表示され、内側マーカ画像１０４は、内側低輝度部１０８内に表示される。即ち、外側マーカ画像１０２、内側マーカ画像１０４は、それぞれ、外側低輝度部１０６、内側低輝度部１０８よりも高輝度に表示される。そのため、利用者は、調整の際、外側マーカ画像１０２及び内側マーカ画像１０４を目印として視認し易くなる。
【００８３】
さらに、本実施例では、位置調整用画面１００は、表示領域の中央部分（より具体的には、外側低輝度部１０６と内側低輝度部１０８の間）に表示される高輝度部１１０を含む。一般的に、高輝度の画像は、低輝度の画像に比べて利用者が視認し易いため、表示された際に利用者が無意識に注視する対象になり得る。そのため、本実施例によると、例えば、調整の際、利用者に高輝度部１１０を注視させることで、眼球が意図しない方向に回動することを抑制し、視線（即ち眼球の向き）を位置調整用画面１００の表示領域の中央付近に固定することができる。そのため、利用者が実際に表示画面を見る際の視線を再現しながら、位置調整処理を行うことができる。そのため、導光板２０の位置（即ち、表示画面の表示位置）を適切な位置に調整し得る。
【００８４】
また、本実施例では、図５のＳ１２において、制御部９０は、外側境界位置ｄ０を特定する際、表示中の位置調整用画面１００の外側マーカ画像１０２の表示輝度を低下させる。同様に、Ｓ２２において、制御部９０は、内側境界位置ｄ１を特定する際、表示中の位置調整用画面１００の内側マーカ画像１０４の表示輝度を低下させる。上記の通り、視界のうちの外側境界位置ｄ０及び内側境界位置ｄ１においては、視界の中心付近に比べて、瞳入射光量が少ない（図３参照）。そのため、本実施例において、外側境界位置ｄ０を特定する際に外側マーカ画像１０２の表示輝度を低下させることにより、外側マーカ画像１０２が視認できなくなった際の外側マーカ画像１０２の表示位置に対応する位置を外側境界位置ｄ０として特定することができる（Ｓ１８）。同様に、内側境界位置ｄ１を特定する際に内側マーカ画像１０４の表示輝度を低下させることにより、内側マーカ画像１０４が視認できなくなった際の内側マーカ画像１０４の表示位置に対応する位置を内側境界位置ｄ１として特定することができる（Ｓ２８）。このように、本実施例の処理によると、外側境界位置ｄ０及び内側境界位置ｄ１を適切に特定することができる。
【００８５】
また、本実施例では、位置調整用画面１００が表示されている間、外側マーカ画像１０２及び内側マーカ画像１０４は、第１輝度値と、第１輝度値よりも低輝度の第２輝度値との間で周期的に表示輝度が変更される（即ち点滅表示される）。これにより、位置調整用画面１００を視認する利用者が、位置調整用画面１００の表示領域の外周縁付近に表示される外側マーカ画像１０２及び内側マーカ画像１０４を視認し易くなる。従って、利用者が、外側境界位置ｄ０と内側境界位置ｄ１とを特定し易くなる。
【００８６】
本実施例と請求項の記載の対応関係を説明しておく。左導光板２０Ｌ及び左投影装置３０Ｌ、右導光板２０Ｒ及び右投影装置３０Ｒが「表示部」の一例である。左導光板２０Ｌ及び左投影装置３０Ｌが「左眼用表示部」の一例である。右導光板２０Ｒ及び右投影装置３０Ｒが「右眼用表示部」の一例である。制御部９０が「表示制御部」の一例である。左調整機構４０Ｌ、右調整機構４０Ｒが「調整機構」の一例である。外側マーカ画像１０２及び内側マーカ画像１０４が「マーカ画像」の一例である。高輝度部１１０が「高輝度画像」の一例である。左目盛１１Ｌ及び目印４４Ｌ、右目盛１１Ｒ及び目印４４Ｒが「現在位置出力部」の一例である。調整ねじ４２Ｌ、調整ねじ４２Ｒが「設定部」の一例である。
【００８７】
（第２実施例）
第２実施例のＨＭＤ２０２について、第１実施例と異なる点を中心に説明する。図６に示すように、本実施例のＨＭＤ２０２は、その基本的な構成は第１実施例のＨＭＤ２（図１参照）と共通する。図６では、第１実施例と同様の構成については、図１と同様の符号を用いて示し、詳しい説明を省略する。本実施例のＨＭＤ２０２では、左調整機構２４０Ｌ及び右調整機構２４０Ｒの各構成が、第１実施例とは異なる。本実施例でも、右調整機構２４０Ｒの構成は、左右が反対であることを除けば左調整機構２４０Ｌと同様であるため、以下では左調整機構２４０Ｌの構成を詳しく説明し、右調整機構２４０Ｒの構成の詳しい説明は省略する。
【００８８】
本実施例の左調整機構２４０Ｌも、左導光板２０Ｌの左右位置を調整するための機構である。左調整機構２４０Ｌは、基材１０と左導光板２０Ｌとの間に配置され、基材１０と左導光板２０Ｌとを連結している。左調整機構２４０は、ボルトとナットとを備える機構である。本実施例では、左端部には、調整ねじに代えて、ボルトを回動させるためのモータ２４２Ｌが設けられている。本実施例では、モータ２４２Ｌを動作させることで、左導光板２０Ｌを左右方向（矢印４８Ｌ参照）に沿って移動させることができる。モータ２４２Ｌの動作は、制御部９０によって制御される。利用者は、操作部にモータ２４２Ｌを動作させるための指示を入力する等することにより、制御部９０を介して、モータ２４２Ｌを動作させることができる。
【００８９】
図６に示す左調整機構２４０Ｌは、さらに、基材１０側に固定された第１電極２５２Ｌと、左導光板２０Ｌ側に固定された第２電極２５４Ｌとを備える。第１電極２５２Ｌと第２電極２５４Ｌとは、図示しない絶縁材（例えば絶縁シート）を介して対向配置されている。対向する第１電極２５２Ｌと第２電極２５４Ｌとの間の静電容量は、第１電極２５２Ｌと第２電極２５４Ｌとの対向面積に応じて変わる。第１電極２５２Ｌと第２電極２５４Ｌには交流電圧が供給される。また、第１電極２５２Ｌと第２電極２５４Ｌとはともに制御部９０に電気的に接続される。制御部９０は、第１電極２５２Ｌと第２電極２５４Ｌとに流れる交流電流を測定することにより、第１電極２５２Ｌと第２電極２５４Ｌとの間の静電容量を測定することができる。制御部９０は、第１電極２５２Ｌと第２電極２５４Ｌとの間の静電容量に応じて、左導光板２０Ｌの現在の位置を特定することができる。
【００９０】
制御部９０は、第１電極２５２Ｌと第２電極２５４Ｌとの間の静電容量を測定しながらモータ２４２Ｌを動作させることにより、指定された位置（例えば最適位置ｄｐ）に左導光板２０Ｌの位置を設定することができる。
【００９１】
本実施例と請求項の記載の対応関係を説明しておく。左調整機構４０Ｌ及び右調整機構４０Ｒが「調整機構」の一例である。第１電極２５２Ｌと第２電極２５４Ｌと制御部９０の組合せ、及び、第１電極２５２Ｒと第２電極２５４Ｒと制御部９０の組合せが、「現在位置出力部」の一例である。制御部９０とモータ２４２Ｌとの組合せ、及び、制御部９０とモータ２４２Ｒとの組合せが「設定部」の一例である。
【００９２】
（第３実施例）
第３実施例のＨＭＤ２について、第１実施例と異なる点を中心に説明する。本実施例のＨＭＤ２は、その基本的構成は第１実施例と共通する（図１参照）。ただし、図７に示すように、本実施例では、瞳入射光量の分布グラフが、左右非対称の台形形状を示す。上記の通り、左右位置における瞳入射光量の分布は、ＨＭＤ２の仕様によって変わるためである。図７に示すように、本実施例では、内側（図７中の右側）の瞳入射光量の減少割合が、外側（図７中の左側）の瞳入射光量の減少割合よりも小さい。この場合、外側境界位置ｄ０と内側境界位置ｄ１との間の単純な中間位置ｄ１／２は、表示画面を視認する際の最適位置ｄｐではない。
【００９３】
そのため、本実施例では、図４のＳ３０において、制御部９０が最適位置ｄｐ（図７参照）を特定する際の手法が第１実施例とは異なる。本実施例では、Ｓ３０において、制御部９０は、（ｄ０＊Ａ＋ｄ１＊Ｂ）を計算することによって、最適位置ｄｐを特定する。ここで、「Ａ」及び「Ｂ」は、ＨＭＤの仕様毎に予め定められた係数である。本実施例では、係数Ａは、例えば０．６であり、係数Ｂは、例えば０．４である。
【００９４】
本実施例の手法によると、瞳入射光量の分布グラフが左右非対称の台形形状を示す場合（図７参照）においても、ＨＭＤ２の仕様に応じた最適位置ｄｐを適切に特定し得る。
【００９５】
（第４実施例）
第４実施例のＨＭＤ２について、第１実施例と異なる点を中心に説明する。本実施例のＨＭＤ２も、その基本的構成は第１実施例と共通する（図１参照）。ただし、図８に示すように、本実施例では、位置調整用画面１００の内容が一部第１実施例とは異なる。本実施例では、高輝度部１１０内に、立方体形状の目標画像１１２が表示されている点が第１実施例とは異なる。
【００９６】
目標画像１１２も、比較的高輝度で表示される画像である。図８に示す目標画像１１２の形状（即ち立方体形状）はあくまで一例であり、他の形状の画像であってもよい。
【００９７】
本実施例によると、調整の際、利用者が目標画像１１２をより注視し易くなる。その結果、眼球が意図しない方向に回動することをより適切に抑制し、視線（即ち眼球の向き）を位置調整用画面１００の表示領域の中央付近に固定することができる。そのため、利用者が実際に表示画面を見る際の視線を再現しながら、位置調整処理を行うことができる。そのため、導光板２０の位置（即ち、表示画面の表示位置）を適切な位置に調整し得る。本実施例の目標画像１１２が「高輝度領域」の一例である。
【００９８】
（第５実施例）
第５実施例のＨＭＤ２について、第１実施例と異なる点を中心に説明する。本実施例のＨＭＤ２も、その基本的構成は第１実施例と共通する（図１参照）。ただし、本実施例では、制御部９０は、左導光板２０Ｌ及び右導光板２０Ｒの左右位置の調整のために図４の位置調整処理を実行しない点が第１実施例とは異なる。具体的には、本実施例では、左眼４Ｌと右眼４Ｒのそれぞれについて、外側境界位置ｄ０及び内側境界位置ｄ１を特定して、それらを利用して最適位置ｄｐを特定することに代えて、利用者の左眼４Ｌと右眼４Ｒとの間の距離（即ち眼幅）を特定する。そして、本実施例では、利用者は、特定された眼幅の値に応じて、左導光板２０Ｌ及び右導光板２０Ｒの左右位置を適宜調整することにより、画面表示位置を調整する。
【００９９】
以下、本実施例で利用者の左眼４Ｌと右眼４Ｒとの間の距離（即ち眼幅）を特定する方法について説明する。本実施例では、利用者によって所定の調整指示が入力されると、制御部９０は、左導光板２０Ｌと右導光板２０Ｒのそれぞれに、位置調整用画面３００（図９参照）を表示させる。この際、左導光板２０Ｌに表示される位置調整用画面３００と、右導光板２０Ｒに表示される位置調整用画面３００との間には、両眼視した際に、立体的に認識させるための視差が設けられている。
【０１００】
利用者は、左眼４Ｌと右眼４Ｒとで、左導光板２０Ｌに表示される位置調整用画面３００と右導光板２０Ｒに表示される位置調整用画面３００とを両眼視する。図９は、本実施例において、利用者が両眼視を行った際に視認することができる位置調整用画面３００を表わす。
【０１０１】
本実施例では、位置調整用画面３００は、現実空間において利用者の位置（図中のＰ０）から１ｍ離間した位置（図中のＰ１）に、所定の眼幅ＰＤ０（後述）において立体視される仮想画像である定規３０２を含み、目印３０４は実際に置かれた本物の（現実の物体である）目印である。利用者は、自身が視認する位置調整用画面３００において、定規３０２が示す目印３０４の位置の値を読み取り、その値を、操作部を介して入力する。利用者が入力する値をＤ１とする。Ｄ１は、例えば１．１ｍであるとする。
【０１０２】
制御部９０は、Ｄ１（＝１．１ｍ）が入力されると、以下のように、利用者の眼幅ＰＤ１を計算する。まず、制御部９０は、Ｄ０として、目印３０４が配置される実際の距離である１ｍを予め記憶している。さらに、制御部９０は、定規３０２の画像を生成する左右視差を算出するための基準となる（標準的な）眼幅ＰＤ０の値として、０．０６３ｍ（＝６３ｍｍ）を記憶している。即ち、利用者がＤ１を入力したことで、制御部９０は、ＰＤ０（＝０．０６３ｍ）、Ｄ０（＝１ｍ）、Ｄ１（＝１．１ｍ）の各値を取得したことになる。
【０１０３】
制御部９０は、利用者の眼幅ＰＤ１を、Ｄ１＊ＰＤ０／Ｄ０を計算することによって算出する。即ち、上記のＰＤ０、Ｄ０、Ｄ１の各値を代入すると、ＰＤ１＝１．１＊０．０６３／１＝０．０６９となる。即ち、この例では、眼幅ＰＤ１は０．０６９ｍ（＝６９ｍｍ）であると推定される。制御部９０は、算出された眼幅ＰＤ１の値を左導光板２０Ｌ及び右導光板２０Ｒに表示する等して出力する。
【０１０４】
利用者は、出力された眼幅ＰＤ１の値を参照し、左導光板２０Ｌ及び右導光板２０Ｒの左右位置を適宜調整することができる。
【０１０５】
上記の通り、本実施例では、利用者は、立体的に認識できる位置調整用画面３００を視認する。そして、利用者が立体的に表示される仮想の定規３０２が示す目印３０４の位置を示す値Ｄ１を入力することで、制御部９０は、眼幅ＰＤ１の値を算出することができる。従って、本実施例による場合も、利用者は、自身の左眼４Ｌと右眼４Ｒのそれぞれにとってより適切な位置に画面の表示位置を配置し得る。本実施例では、位置調整用画面３００が「位置調整用画面」の一例である。
【０１０６】
（第６実施例）
第６実施例は、第５実施例の変形態様である。第５実施例と異なる点を中心に説明する。本実施例では、利用者によって所定の調整指示が入力されると、制御部９０は、左導光板２０Ｌと右導光板２０Ｒのそれぞれに、位置調整用画面４００（図１０参照）を表示させる。この際、左導光板２０Ｌに表示される位置調整用画面４００と、右導光板２０Ｒに表示される位置調整用画面４００との間には、第５実施例と同様、両眼視した際に立体的に認識させるための視差が設けられている。
【０１０７】
利用者は、左眼４Ｌと右眼４Ｒとで、左導光板２０Ｌに表示される位置調整用画面３００と右導光板２０Ｒに表示される位置調整用画面３００とを両眼視する。図９は、本実施例において、利用者が両眼視を行った際に視認することができる位置調整用画面３００を表わす。
【０１０８】
本実施例では、位置調整用画面４００は、現実空間において利用者の位置（図中のＰ０）から１ｍ離間した位置（図中のＰ１）に、所定の眼幅ＰＤ０（後述）において立体視される仮想画像である旗４０２を含み、目印４０４は実際に置かれた本物の（現実の物体である）目印である。旗４０２は、位置Ｐ０とＰ１とを結ぶ直線上に配置されている。さらに、位置調整用画面４００は、旗４０２を遠方に移動させる遠方移動ボタン４１０と、旗４０２を近方に移動させる近方移動ボタン４１２と、旗４０２の位置を確定させるＯＫボタン４１４とを含む。これらのボタン４１０〜４１４は、利用者が操作部に操作を入力すること、又は、これらのボタン４１０〜４１４を操作する動作を仮想空間内で行うことにより操作可能である。
【０１０９】
制御部９０は、利用者の位置Ｐ０と旗４０２の間の距離Ｄ１と標準の眼幅ＰＤ０を用いて旗４０２の左右視差画像を生成する。利用者は、遠方移動ボタン４１０及び近方移動ボタン４１２を操作して、旗４０２を目印４０４（即ち位置Ｐ１）に合わせるように移動させる。利用者は、旗４０２が目印４０４と一致した時点でＯＫボタン４１４を操作する。これにより、旗４０２が目印４０４と一致した時点の利用者の位置Ｐ０と旗４０２の間の距離Ｄ１が入力される。この例でも、Ｄ１の値は１．１ｍであるとする。
【０１１０】
制御部９０は、Ｄ１（＝１．１ｍ）が入力されると、以下のように、利用者の眼幅ＰＤ１を計算する。まず、本実施例でも、制御部９０は、Ｄ０として、目印４０４が配置される実際の距離である１ｍを予め記憶している。さらに、制御部９０は、基準となる（標準的な）眼幅ＰＤ０の値として、０．０６３ｍ（＝６３ｍｍ）を記憶している。即ち、Ｄ１が入力されたことで、制御部９０は、ＰＤ０（＝０．０６３ｍ）、Ｄ０（＝１ｍ）、Ｄ１（１．１ｍ）の各値を取得したことになる。
【０１１１】
制御部９０は、利用者の眼幅ＰＤ１を、Ｄ１＊ＰＤ０／Ｄ０を計算することによって算出する。即ち、上記のＰＤ０、Ｄ０、Ｄ１の各値を代入すると、ＰＤ１＝１．１＊０．０６３／１＝０．０６９となる。この例では、眼幅ＰＤ１は０．０６９ｍ（＝６９ｍｍ）であると推定される。制御部９０は、算出された眼幅ＰＤ１の値を左導光板２０Ｌ及び右導光板２０Ｒに表示する等して出力する。
【０１１２】
利用者は、出力された眼幅ＰＤ１の値を参照し、左導光板２０Ｌ及び右導光板２０Ｒの左右位置を適宜調整することができる。本実施例では、位置調整用画面４００が「位置調整用画面」の一例である。
【０１１３】
以上、本明細書で開示する技術の具体例を説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【０１１４】
（変形例１）第１〜第４実施例において、左導光板２０Ｌの左右位置の調整を行う際に、制御部９０は、左導光板２０Ｌと右導光板２０Ｒのそれぞれに、位置調整用画面１００を表示させてもよい。同様に、右導光板２０Ｒの左右位置の調整を行う際に、制御部９０は、左導光板２０Ｌと右導光板２０Ｒのそれぞれに、位置調整用画面１００を表示させてもよい。
【０１１５】
（変形例２）第１〜第４実施例において、外側境界位置ｄ０の特定のために表示される位置調整用画面１００（図４のＳ１０、Ｓ１２参照）は、内側マーカ画像１０４を含んでいなくてもよい。同様に、内側境界位置ｄ１の特定のために表示される位置調整用画面１００（図４のＳ２０、Ｓ２２参照）は、外側マーカ画像１０２を含んでいなくてもよい。
【０１１６】
（変形例３）上記の各実施例において、ＨＭＤ２（２０２）は、左導光板２０Ｌと、右導光板２０Ｒと、左投影装置３０Ｌと、右投影装置３０Ｒと、左調整機構４０Ｌと、右調整機構４０Ｒと、に代えて、遮光性のディスプレイからなる左眼用表示部と右眼用表示部とを備えていてもよい。この場合、左眼用表示部は、左眼用の表示画面の表示位置を適宜調整可能なものであってもよい。同様に、右眼用表示部は、右眼用の表示画面の表示位置を適宜調整可能なものであってもよい。この変形例の場合にも、上記の各実施例の技術を適用することができる。
【０１１７】
（変形例４）上記の第１〜第４実施例では、ＨＭＤ２（２０２）は、左導光板２０Ｌと、右導光板２０Ｒと、左投影装置３０Ｌと、右投影装置３０Ｒと、左調整機構４０Ｌと、右調整機構４０Ｒと、を備えている。これに限られず、第１〜第４実施例において、ＨＭＤは、左導光板２０Ｌと、左投影装置３０Ｌと、左調整機構４０Ｌとのみを備える左眼単眼用のＨＭＤであってもよい。このような左眼単眼用のＨＭＤにおいても、上記の第１〜第４実施例と同様の手法によって左眼用の表示画面の表示位置を調整することができる。この場合、左導光板２０Ｌと、左投影装置３０Ｌとが「表示部」の一例である。左調整機構４０Ｌが「調整機構」の一例である。同様に、第１〜第４実施例において、ＨＭＤは、右導光板２０Ｒと、右投影装置３０Ｒと、右調整機構４０Ｒとのみを備える右眼単眼用のＨＭＤであってもよい。このような右眼単眼用のＨＭＤにおいても、上記の第１〜第４実施例と同様の手法によって右眼用の表示画面の表示位置を調整することができる。この場合、右導光板２０Ｒと、右投影装置３０Ｒとが「表示部」の一例である。右調整機構４０Ｒが「調整機構」の一例である。
【０１１８】
（変形例５）上記の各実施例では、左調整機構４０Ｌは、左導光板２０Ｌの左右位置を調整するための機構である。これに限られず、左調整機構４０Ｌは、左導光板２０Ｌの上下位置を調整するための機構であってもよい。また、左調整機構４０Ｌは、左導光板２０Ｌの上下左右位置を調整するための機構であってもよい。同様に、右調整機構４０Ｒは、右導光板２０Ｒの上下位置を調整するための機構であってもよいし、右導光板２０Ｒの上下左右位置を調整するための機構であってもよい。
【０１１９】
（変形例６）上記の各実施例では、左導光板２０Ｌ及び左投影装置３０Ｌ、右導光板２０Ｒ及び右投影装置３０Ｒによって、画面を表示するための表示部が構成される。これに限られず、表示部として、導光板を備えない任意の画面表示機構を採用してもよい。例えば、表示部として、液晶ディスプレイ等が採用されてもよい。
【０１２０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１２１】
２：ＨＭＤ
４Ｌ：左眼
４Ｒ：右眼
１０：基材
１１Ｌ：左目盛
１１Ｒ：右目盛
２０Ｌ：左導光板
２０Ｒ：右導光板
２２Ｌ：左ハーフミラー部材
３０Ｌ：左投影装置
３０Ｒ：右投影装置
４０Ｌ：左調整機構
４０Ｒ：右調整機構
４２Ｌ：調整ねじ
４２Ｒ：調整ねじ
４４Ｌ：目印
４４Ｒ：目印
９０：制御部
１００：位置調整用画面
１０２：外側マーカ画像
１０４：内側マーカ画像
１０６：外側低輝度部
１０８：内側低輝度部
１１０：高輝度部
１１２：目標画像
２０２：ＨＭＤ
２４０：左調整機構
２４０Ｌ：左調整機構
２４０Ｒ：右調整機構
２４２Ｌ：モータ
２４２Ｒ：モータ
２５２Ｌ：第１電極
２５２Ｒ：第１電極
２５４Ｌ：第２電極
２５４Ｒ：第２電極
３００：位置調整用画面
３０２：定規
３０４：目印
４００：位置調整用画面
４０２：旗
４０４：目印
４１０：遠方移動ボタン
４１２：近方移動ボタン
４１３：ボタン
４１４：ＯＫボタン
ｄ０：外側境界位置
ｄ１：内側境界位置
ｄｐ：最適位置
ｔｈ：閾値
【図１】
2020113916.tif 000003
【図２】
2020113916.tif 000004
【図３】
2020113916.tif 000005
【図４】
2020113916.tif 000006
【図５】
2020113916.tif 000007
【図６】
2020113916.tif 000008
【図７】
2020113916.tif 000009
【図８】
2020113916.tif 000010
【図９】
2020113916.tif 000011
【図１０】
2020113916.tif 000012